(57)【要約】【課題】壁部に埋設された石綿管を撤去するときに、石綿の飛散を防ぐとともに、壁部から石綿管の開口端部を簡単に撤去することができる石綿管の撤去方法を提供することを課題とする。【解決手段】壁部２に埋設された石綿管５の撤去方法であって、壁部２において石綿管５の開口端部を含む領域を、筒状のコアドリル１１を用いて切除する。また、石綿管５が、縦引き管６と、縦引き管６に連通するとともに、壁面２ａに開口している横引き管７とを備えている場合には、壁部２において横引き管７を含む領域を、コアドリル１１を用いて切除する。【選択図】図１
2015004197.tif 000002
【特許請求の範囲】
【請求項１】
壁部に埋設された石綿管の撤去方法であって、
前記壁部において前記石綿管の開口端部を含む領域を、筒状のコアドリルを用いて切除することを特徴とする石綿管の撤去方法。
【請求項２】
前記石綿管は、縦引き管と、前記縦引き管に連通するとともに、前記壁面に開口している横引き管とを備えており、
前記壁部において前記横引き管を含む領域を、前記コアドリルを用いて切除することを特徴とする請求項１に記載の石綿管の撤去方法。
【発明の詳細な説明】
【技術分野】
【０００１】
本発明は、壁部に埋設された石綿管の撤去方法に関する。
【背景技術】
【０００２】
従来、石綿（アスベスト）とセメントとを原料とする石綿管が、建物の換気管や水道管として利用されていた。
建物を解体するときに、壁部に石綿管が埋設されている場合は、壁部から石綿管を予め撤去して、石綿が外部に飛散するのを防ぐ必要がある。
壁部から石綿管を撤去する方法としては、石綿管に噴水装置のノズルを挿入し、石綿管の内周面に高圧水を吹き付けて、石綿管を破砕しているものがある（例えば、特許文献１参照）。
【先行技術文献】
【特許文献】
【０００３】
【特許文献１】特許第３２７３１３８号公報
【発明の概要】
【発明が解決しようとする課題】
【０００４】
前記した従来の石綿管の撤去方法によって、石綿管の開口端部を破砕しようとすると、壁面の開口部から高圧水が外部に流出する虞がある。また、石綿管の開口端部が横引き管である場合には、噴水装置を横向きに配置することが難しいため、横引き管を破砕することができないという問題がある。
したがって、従来は石綿管の開口端部を作業者が工具で斫って除去しているため、石綿が飛散するとともに、石綿管の撤去作業が煩雑になるという問題がある。
【０００５】
本発明は、前記した問題を解決し、壁部に埋設された石綿管を撤去するときに、石綿の飛散を防ぐとともに、壁部から石綿管の開口端部を簡単に撤去することができる石綿管の撤去方法を提供することを課題とする。
【課題を解決するための手段】
【０００６】
前記課題を解決するため、本発明は、壁部に埋設された石綿管の撤去方法であって、前記壁部において前記石綿管の開口端部を含む領域を、筒状のコアドリルを用いて切除することを特徴としている。
【０００７】
この構成では、壁部の一部とともに、石綿管の開口端部も壁部から切削されるため、石綿の飛散を防ぐとともに、壁部から石綿管の開口端部を簡単に除去することができる。
【０００８】
前記した石綿管の撤去方法において、前記石綿管が、縦引き管と、前記縦引き管に連通するとともに、前記壁面に開口している横引き管とを備える場合には、前記壁部において前記横引き管を含む領域を、前記コアドリルを用いて切除することが望ましい。この構成では、石綿の飛散を防ぐとともに、壁部から横引き管を簡単に撤去することができる。
【発明の効果】
【０００９】
本発明の石綿管の撤去方法では、壁部の一部とともに、石綿管の開口端部も壁部から切削することで、石綿の飛散を防ぐとともに、壁部から石綿管の開口端部を簡単に撤去することができ、作業効率を高めることができる。
【図面の簡単な説明】
【００１０】
【図１】本実施形態の石綿管の撤去方法において、横引き管を撤去する工程を示した側断面図である。
【図２】本実施形態の石綿管の開口端部を示した図で、（ａ）は側断面図、（ｂ）は壁面側から見た図である。
【図３】本実施形態の石綿管の撤去方法を示した図で、縦引き管の開口端部を撤去する工程を示した側断面図である。
【発明を実施するための形態】
【００１１】
本発明の実施形態について、適宜図面を参照しながら詳細に説明する。
本実施形態の石綿管の撤去方法は、図１に示すように、建物１を解体するときに、壁部２に埋設されている石綿管５を予め撤去するための方法である。
【００１２】
建物１の壁部２は、コンクリートによって形成された側壁である。壁部２には、ボイラや暖房機器の換気管または水道管として石綿管５が埋設されている。
石綿管５は、石綿とセメントとを原料として成形されたものである。石綿管５は、縦方向に延在している縦引き管６と、横方向に延在している横引き管７とを備えている。
【００１３】
縦引き管６は、図３に示すように、建物１の屋上に突設された突出部１ａの上壁面１ｂに開口している。また、横引き管７は、図１に示すように、一端が縦引き管６に連通するとともに、他端は壁部２の内壁面２ａに開口している。
【００１４】
本実施形態の石綿管５の撤去方法は、壁部２から横引き管７を撤去する工程と、壁部２から縦引き管６の開口端部を撤去する工程と、壁部２から縦引き管６を撤去する工程と、を備えている。
【００１５】
壁部２から横引き管７を撤去する工程では、図１に示すように、内壁面２ａに切削装置１０を設置する。なお、壁部２から横引き管７を撤去する作業は、シート等によって仕切られた作業空間内で行われる。
切削装置１０は、円筒状のコアドリル１１と、コアドリル１１を回転させる駆動装置１２と、駆動装置１２を支持するアンカー部材１３と、を備えている。
切削装置１０は、コアドリル１１によってコンクリート部材から円柱状の部位（コア）を切り抜いて、コンクリート部材に円形の穴を形成することができるものである。
【００１６】
コアドリル１１の内径は、縦引き管６および横引き管７の外径よりも大きく形成されている。また、コアドリル１１の開口縁部には複数の切削刃が取り付けられている。
コアドリル１１の基端部には駆動装置１２の回転軸が取り付けられており、駆動装置１２の駆動力によってコアドリル１１が軸回りに回転する。
【００１７】
アンカー部材１３は、基端部が駆動装置１２に取り付けられている。アンカー部材１３の先端部を内壁面２ａに取り付けることで、切削装置１０を内壁面２ａに対して安定させることができる。
また、切削装置１０には、給水ホース１４を通じて供給された水をコアドリル１１の先端部に供給する給水機構が設けられている。
【００１８】
作業者は、アンカー部材１３の先端部を内壁面２ａに取り付けるとともに、コアドリル１１の開口縁部を内壁面２ａに当接させる。このとき、コアドリル１１の開口部内に、横引き管７の開口部７ａが収まるように、コアドリル１１を位置決めする。
【００１９】
そして、コアドリル１１を回転させ、壁部２を内壁面２ａ側から切削することで、図２（ａ）および（ｂ）に示すように、壁部２において、横引き管７を含む領域Ａ１を円柱状に切り抜いて除去する。切削時にコアドリル１１の先端部に水が供給されており、切削部位が湿潤されるため、粉塵が飛散するのを防ぐことができる。このようにして、壁部２の一部とともに、壁部２から横引き管７全体を撤去する。
【００２０】
続いて、壁部２から縦引き管６の開口端部を撤去する工程では、図３に示すように、横引き管７（図１参照）を撤去する場合と同様に、突出部１ａの上壁面１ｂに切削装置１０を設置する。
このとき、コアドリル１１の開口部内に縦引き管６の開口部６ａが収まるように、コアドリル１１を位置決めする。なお、壁部２から縦引き管６の開口端部を撤去する作業は、シート等によって仕切られた作業空間内で行われる。
【００２１】
そして、コアドリル１１を回転させ、壁部２において、縦引き管６の開口端部を含む領域Ａ２を円柱状に切り抜いて除去する。これにより、壁部２の一部とともに、壁部２から縦引き管６の開口端部が撤去される。
【００２２】
なお、撤去する縦引き管６の開口端部の深さは、後記する噴水装置（図示せず）によって縦引き管６を破砕した場合に、上壁面１ｂの開口部から高圧水が噴水してしまう虞がある領域である。すなわち、縦引き管６において撤去された開口端部よりも下側の部位は、後記する噴水装置によって破砕することができる。
【００２３】
壁部２から縦引き管６を撤去する工程では、図１に示す縦引き管６の上部の開口部から公知の噴水装置（図示せず）のノズルを縦引き管６内に挿入し、ノズルから縦引き管６の内周面に高圧水を吹き付けて縦引き管６を破砕する。なお、縦引き管６の破砕片は、水とともに石綿管５の下側の開口部から回収する。
このようにして、壁部２から縦引き管６全体を撤去し、壁部２に埋設された石綿管５の撤去作業を完了する。
【００２４】
以上のような石綿管５の撤去方法では、図１および図３に示すように、壁部２の一部とともに、石綿管５の横引き管７や開口端部も壁部２から切削されるため、石綿の飛散を防ぐとともに、壁部２から石綿管５の横引き管７や開口端部を簡単に除去することができ、作業効率を高めることができる。
【００２５】
以上、本発明の実施形態について説明したが、本発明は前記実施形態に限定されることなく、その趣旨を逸脱しない範囲で適宜に変更が可能である。
本実施形態では、図１および図３に示すように、壁部２から横引き管７および縦引き管６の開口端部を撤去した後に、噴水装置によって壁部２から縦引き管６全体を撤去しているが、噴水装置によって壁部２から縦引き管６の開口端部以外の部位を撤去した後に、壁部２から横引き管７および縦引き管６の開口端部を撤去してもよい。
また、壁部２から横引き管７を撤去する工程および縦引き管６の開口端部を撤去する工程は同時に行ってもよい。
【符号の説明】
【００２６】
１      建物
１ｂ    上壁面
２      壁部
２ａ    内壁面
５      石綿管
６      縦引き管
７      横引き管
１０    切削装置
１１    コアドリル
１２    駆動装置
【図１】
2015004197.tif 000003
【図２】
2015004197.tif 000004
【図３】
2015004197.tif 000005